(57)【要約】【課題】基板を有さなくても製造工程中において容易にハンドリングすることが可能な半導体装置の構成と、このような構成を有する半導体装置の製造方法を提供する。【解決手段】半導体素子６０を封止して樹脂成形された封止樹脂部７０と、封止樹脂部７０の一方の面を被覆する絶縁層３０と、封止樹脂部７０に封止され、絶縁層３０に積層して形成された配線パターン１４と、絶縁層３０に形成された開口部３２に配設され、配線パターン１４に接続して設けられた外部接続端子８０と、配線パターン１４にフリップチップ接続された半導体素子６０の接続部を保護するアンダーフィル樹脂５０と、を有していることを特徴とする半導体装置１００である。【選択図】図３
2009302427.tif 000002
【特許請求の範囲】
【請求項１】
半導体素子を封止して樹脂成形された封止樹脂部と、
前記封止樹脂部の一方の面を被覆する絶縁層と、
前記封止樹脂部に封止され、前記絶縁層に積層して形成された配線パターンと、
前記絶縁層に形成された開口部に配設され、前記配線パターンに接続して設けられた外部接続端子と、
前記配線パターンにフリップチップ接続された前記半導体素子の接続部を保護するアンダーフィル樹脂と、
を有していることを特徴とする半導体装置。
【請求項２】
前記アンダーフィル樹脂は、非導電性フィルム材により形成されていて、
前記半導体素子は、前記半導体素子に取り付けられた電極により前記被導電性フィルムを貫通させることにより前記配線パターンと電気的に接続されていることを特徴とする請求項１記載の半導体装置。
【請求項３】
前記アンダーフィル樹脂は、異方性導電フィルムにより形成されていて、
前記半導体素子は、前記異方性導電フィルム材を介して前記配線パターンに電気的に接続されていることを特徴とする請求項１記載の半導体装置。
【請求項４】
前記配線パターンは銅によって形成されていることを特徴とする請求項１〜３のうちのいずれか一項に記載の半導体装置。
【請求項５】
金属箔に第１のキャリアテープを接着する工程と、
前記金属箔に絶縁層を積層し、該絶縁層に開口部を形成する工程と、
前記絶縁層の表面に第２のキャリアテープを積層する工程と、
前記第１のキャリアテープを除去する工程と、
前記金属箔をエッチングし、配線パターンを形成する工程と、
前記配線パターンにアンダーフィル樹脂を積層する工程と、
半導体素子をフェースダウンにより前記アンダーフィル樹脂の上から前記配線パターンと電気的に接続するように搭載する工程と、
前記半導体素子が搭載された一方の面側を樹脂封止する工程と、
前記第２のキャリアテープを除去する工程と、
前記開口部から露出した前記配線パターンに外部接続端子を接合する工程と、
を有していることを特徴とする半導体装置の製造方法。
【請求項６】
金属箔にキャリアテープを接着する工程と、
前記金属箔をエッチングし、配線パターンを形成する工程と、
前記配線パターンにアンダーフィル樹脂を積層する工程と、
半導体素子をフェースダウンにより前記アンダーフィル樹脂の上から前記配線パターンと電気的に接続するように搭載する工程と、
前記半導体素子が搭載された一方の面側を樹脂封止する工程と、
前記キャリアテープを除去する工程と、
前記キャリアテープを除去して露出した前記配線パターンに絶縁層を積層し、該絶縁層に開口部を形成する工程と、
前記開口部から露出した前記配線パターンに外部接続端子を接合する工程と、
を有していることを特徴とする半導体装置の製造方法。
【請求項７】
前記金属箔にキャリアテープを接着する工程においては、前記金属箔のシャイニー面にアクリル系接着剤を用いて接着していることを特徴とする請求項５または６記載の半導体装置の製造方法。
【請求項８】
前記金属箔からキャリアテープを剥離した後から前記開口部から露出した前記配線パターンに外部接続端子を接合するまでの間に、前記金属箔をプラズマエッチングする工程を有していることを特徴とする請求項５〜７のうちのいずれか一項に記載の半導体装置の製造方法。
【請求項９】
前記金属箔は、サブトラクティブ法によりパターニングされることを特徴とする請求項５〜８のうちのいずれか一項に記載の半導体装置の製造方法。
【請求項１０】
前記金属箔は、セミアディティブ法によりパターニングされることを特徴とする請求項５〜８のうちのいずれか一項に記載の半導体装置の製造方法。
【発明の詳細な説明】
【技術分野】
【０００１】
本発明は、半導体装置および半導体装置の製造方法に関する。
【背景技術】
【０００２】
従来の半導体装置は、ガラスエポキシ樹脂等によりなる基板上に配線パターンを形成した配線基板に半導体素子を搭載し、搭載した半導体素子と配線パターンとを電気的に接続した構成が一般的である。
図９、図１０に従来の従来技術における半導体装置の構成例を示す。図９は、スルーホール１１０を経由して基板Ｋの一方側の面に形成された接続パッド１１２と他方側の面に形成された外部接続端子１１４とを電気的に接続する配線パターン１１６を有する配線基板において、配線基板の一方側の面に半導体素子１２０を搭載し、半導体素子１２０に形成された電極パッド１２２と配線基板の接続パッド１１２間とをボンディングワイヤ１３０により電気的に接続した後、封止樹脂１４０により半導体素子１２０およびボンディングワイヤ１３０を樹脂封止するいわゆるワイヤボンディング接続方式により形成された半導体装置２００の構造を示す断面図である。また、図１０は、配線基板の一方側の面に形成された接続パッド１１２に半導体素子１２０の電極１２６（電極パッド１２２とバンプ１２４）を接合し、接続パッド１１２と電極１２６との間にアンダーフィル樹脂１５０を注入した、いわゆるフリップチップ接続方式により形成された半導体装置２００の構造を示す断面図である。
これらのような半導体装置２００については、例えば特許文献１（ワイヤボンディング接続方式）および特許文献２（フリップチップ接続方式）において開示されている。
【特許文献１】特開平９−９７８６０号公報
【特許文献２】特開２００３−１５２００１号公報
【発明の開示】
【発明が解決しようとする課題】
【０００３】
図９に示すようなワイヤボンディング接続方式の半導体装置の構成に代えて、図１０に示すようなフリップチップ接続方式の半導体装置の構成を採用することによって、半導体装置の厚さ寸法を大幅に薄くすることが可能になった。
近年における半導体装置には更なる薄型化が望まれており、フリップチップ接続形式の半導体装置における薄型化は限界に達しつつある。
【０００４】
そこで本願発明者は、配線パターンを保持する基板を省略することにより半導体装置の厚さ寸法を薄くすることに着目し、基板を有さなくても製造工程中において容易にハンドリングすることが可能な半導体装置の構成と、このような構成を有する半導体装置の製造方法の提供を目的としている。
【課題を解決するための手段】
【０００５】
以上の課題を解決するため本発明は、以下の構成を備える。
すなわち、半導体素子を封止して樹脂成形された封止樹脂部と、前記封止樹脂部の一方の面を被覆する絶縁層と、前記封止樹脂部に封止され、前記絶縁層に積層して形成された配線パターンと、前記絶縁層に形成された開口部に配設され、前記配線パターンに接続して設けられた外部接続端子と、前記配線パターンにフリップチップ接続された前記半導体素子の接続部を保護するアンダーフィル樹脂と、を有していることを特徴とする半導体装置である。このような半導体装置における配線パターンの材料としては、銅箔等の金属箔により形成すれば好適である。
【０００６】
また、前記アンダーフィル樹脂は、非導電性フィルム材により形成されていて、前記半導体素子は、前記半導体素子に取り付けられた電極により前記被導電性フィルムを貫通させることにより前記配線パターンと電気的に接続されていることを特徴とする。
また、前記アンダーフィル樹脂は、異方性導電フィルムにより形成されていて、前記半導体素子は、前記異方性導電フィルム材を介して前記配線パターンに電気的に接続されていることを特徴とする。
これらにより、半導体素子と配線パターンとの隙間寸法を可及的に狭くすることができるため半導体装置をさらに薄型にすることができる。また、アンダーフィル樹脂にフィルム材を用いることにより、半導体装置の厚さ寸法のばらつきを抑えることができ、フィルム材をラミネートするだけでよいので製造工程における作業効率を向上させることができる。
【０００７】
また、他の発明は、金属箔に第１のキャリアテープを接着する工程と、前記金属箔に絶縁層を積層し、該絶縁層に開口部を形成する工程と、前記絶縁層の表面に第２のキャリアテープを積層する工程と、前記第１のキャリアテープを除去する工程と、前記金属箔をエッチングし、配線パターンを形成する工程と、前記配線パターンにアンダーフィル樹脂を積層する工程と、半導体素子をフェースダウンにより前記アンダーフィル樹脂の上から前記配線パターンと電気的に接続するように搭載する工程と、前記半導体素子が搭載された一方の面側を樹脂封止する工程と、前記第２のキャリアテープを除去する工程と、前記開口部から露出した前記配線パターンに外部接続端子を接合する工程と、を有していることを特徴とする半導体装置の製造方法がある。
【０００８】
さらにまた、他の発明として、金属箔にキャリアテープを接着する工程と、前記金属箔をエッチングし、配線パターンを形成する工程と、前記配線パターンにアンダーフィル樹脂を積層する工程と、半導体素子をフェースダウンにより前記アンダーフィル樹脂の上から前記配線パターンと電気的に接続するように搭載する工程と、前記半導体素子が搭載された一方の面側を樹脂封止する工程と、前記キャリアテープを除去する工程と、前記キャリアテープを除去して露出した前記配線パターンに絶縁層を積層し、該絶縁層に開口部を形成する工程と、前記開口部から露出した前記配線パターンに外部接続端子を接合する工程と、を有していることを特徴とする半導体装置の製造方法がある。
【０００９】
また、前記金属箔にキャリアテープを接着する工程においては、前記金属箔のシャイニー面にアクリル系接着剤を用いて接着していることを特徴とする。これにより金属箔からのキャリアテープ除去を容易に行うことができる。
また、前記金属箔からキャリアテープを剥離した後から前記開口部から露出した前記配線パターンに外部接続端子を接合するまでの間に、前記金属箔をプラズマエッチングする工程を有していることを特徴とする。これにより、キャリアテープ除去時に金属箔表面に接着剤または変質した接着剤が残存した場合であっても、金属箔表面を清浄な状態にすることができる。
【００１０】
また、前記金属箔は、サブトラクティブ法またはセミアディティブ法のいずれかによりパターニングされることを特徴とする。これにより、必要な配線パターンの詳細度に応じて適切に配線パターンを形成することができる。
【発明の効果】
【００１１】
本発明にある半導体装置の構成を採用することにより、きわめて薄い半導体装置を提供することができる。またこのような基板を有さない半導体装置を製造する際において、各段階における製造工程品を円滑にハンドリングすることができるため、生産効率が向上し、半導体装置を低コストで提供することが可能になる。
【発明を実施するための最良の形態】
【００１２】
（第１実施形態）
以下、本発明にかかる半導体装置の実施形態について、図面に基づいて説明する。図１〜図３は、本実施形態における半導体装置の製造方法における各段階の状態を示す断面図である。なお、図１〜図３においては単体の半導体装置が示されているが、複数個の半導体素子を搭載し、半導体装置を同時に複数個製造することももちろん可能である。
【００１３】
まず、図１（ａ）に示すように、金属箔である銅箔１０に第１のキャリアテープ２０を接着し、銅箔１０と第１のキャリアテープ２０とを積層する。本実施形態においては、１２〜１５μｍの膜厚さに形成された銅箔１０を用い、銅箔１０のシャイニー面１２（平滑度が高い側の面）に第１のキャリアテープ２０を積層させている。
本実施形態における第１のキャリアテープ２０には、ＰＥＴフィルムからなる基材の片側面にアクリル系接着剤が塗布されたものが用いられている。接着剤にアクリル系接着剤を用いているので、第１のキャリアテープ２０を後に除去する際に、容易にピールすることができ、接着剤が銅箔１０に残存しないため好都合である。
【００１４】
次に図１（ｂ）に示すように、銅箔１０に絶縁層であるソルダーレジスト３０を積層する。本実施形態においては、フィルムタイプのソルダーレジスト３０を積層した後、ソルダーレジスト３０の所定の部位にレーザ光を照射することにより開口部３２を形成している。
次に、図１（ｃ）に示すように、ソルダーレジスト３０の表面に第２のキャリアテープ４０を積層する。第２のキャリアテープ４０の積層は、例えばロールラミネータを用いることができる。第２のキャリアテープ４０をローラで押圧することで、第２のキャリアテープ４０をソルダーレジスト３０の表面形状に倣った状態でラミネートすることができる。したがって、図１（ｃ）に示すように、第２のキャリアテープ４０は、開口部３２に入り込んだ状態（充填された状態）となる。本実施形態においては、第１のキャリアテープ２０の構成と同様の構成を有する第２のキャリアテープ４０を用いた。
第２のキャリアテープ４０をソルダーレジスト３０の表面にラミネートした後、第１のキャリアテープ２０を除去する（図１（ｄ））。第１のキャリアテープ２０は手でピールして除去することができる。
【００１５】
次に、図２（ａ）に示すように、銅箔１０とソルダーレジスト３０と第２のキャリアテープ４０との積層体を銅箔１０が上側面になるようにフリップした後、銅箔１０をサブトラクティブ法によりパターニングし、配線パターン１４を形成する。
次に、図２（ｂ）に示すように、配線パターン１４の所定位置にノンコンダクティブフィルム等の樹脂シートを貼付してアンダーフィル樹脂５０を形成する。アンダーフィル樹脂５０を構成する樹脂シートは、ノンコンダクティブフィルムに替えて異方性導電樹脂フィルムやダイアタッチフィルムなどを用いることもできる。
【００１６】
次に、図２（ｃ）に示すように、電極としてのバンプ６２が形成された半導体素子６０をフェースダウンさせた状態でアンダーフィル樹脂５０にバンプ６２を押圧し、バンプ６２をアンダーフィル樹脂５０に貫通させることにより半導体素子６０と配線パターン１４とを電気的に接続させるように、バンプ６２と配線パターン１４とが直接接続する状態となるように搭載する。
次に、図２（ｄ）に示すように、配線パターン１４とアンダーフィル樹脂５０と半導体素子６０（半導体素子６０が搭載されている側の面）を封止樹脂７２により樹脂成形し、封止樹脂部７０を形成する。樹脂封止部７０を形成する際は、トランスファーモールド装置を用いればよい。
【００１７】
次に、図３（ａ）に示すように、樹脂封止された積層体９０から第２のキャリアテープ４０を除去する。第２のキャリアテープ４０もまた手作業等で簡単にピールすることができる。第２のキャリアテープ４０の接着剤には先述のとおりアクリル系接着剤が用いられているため剥離しやすいものの、樹脂封止する際に接着剤が加熱されることによって接着剤が変質する等により、ソルダーレジスト３０の開口部３２に入り込んでいた部位の配線パターン１４に接着剤または変質した接着剤が残留することがある。このような場合においては、図３（ｂ）に示すように、開口部３２から露出する配線パターン１４（接続パッド）の表面にプラズマ処理を施せば、配線パターン１４の露出面（接続パッド面）を洗浄することができる。プラズマ処理には、アルゴンプラズマエッチングや酸素プラズマエッチングを用いることができる。
開口部３２から露出する配線パターン１４の洗浄を終えた後、配線パターン１４の露出部にはんだバンプ等の外部接続端子８０を取り付けることにより、図３（ｃ）に示すような半導体装置１００を得ることができる。半導体装置１００は必要に応じてダイサー等により個片化する。
【００１８】
本実施形態における半導体装置１００は、絶縁層３０上に配線パターン１４が直接積層されていて、半導体素子６０が搭載される配線パターン１４領域に配設されたアンダーフィル樹脂５０に、半導体素子６０を押圧し、半導体素子６０の電極であるバンプ６２にアンダーフィル樹脂５０を貫通させることにより配線パターン１４に電気的に接続させた状態に半導体素子６０を搭載し、半導体素子６０とアンダーフィル樹脂５０と配線パターン１４の一部を封止樹脂７２により樹脂成形した封止樹脂部７０を形成し、絶縁層３０に形成された開口部３２から露出した配線パターン１４に外部接続端子８０を取り付けて形成したものであるから、従来の基板を有するフリップチップ接続方式により製造される半導体装置に比べてきわめて薄型の半導体装置１００に形成することが可能である。
【００１９】
（第２実施形態）
第１実施形態の図３（ｃ）で示した半導体装置１００の他の製造方法について説明する。図４と図５は、第２実施形態にかかる半導体装置の製造方法における各工程での状態を示す断面図である。
まず、図４（ａ）に示すように、厚さ寸法が１２〜１５μｍに形成された銅箔１０のシャイニー面１２にキャリアテープ２２をラミネートする。キャリアテープ２２は第１実施形態における第１，２のキャリアテープ２０，４０と同様にＰＥＴフィルムからなる基材の片側面にアクリル系接着剤が塗布されたものが用いられている。
次に、図４（ｂ）に示すように、サブトラクティブ法により銅箔１０をパターニングし、配線パターン１４を形成する。
【００２０】
次に、図４（ｃ）に示すように、配線パターン１４の所定位置にノンコンダクティブフィルム等の樹脂シートを貼付してアンダーフィル樹脂５０を形成する。アンダーフィル樹脂５０を構成する樹脂シートもまた、第１実施形態と同様に、ノンコンダクティブフィルムに替えて異方性導電樹脂フィルムやダイアタッチフィルムなどを用いることができる。
次に、図４（ｄ）に示すように、電極としてのバンプ６２が形成された半導体素子６０をフェースダウンでアンダーフィル樹脂５０に押圧させた状態で搭載し、半導体素子６０のバンプ６２をアンダーフィル樹脂５０に貫通させることにより半導体素子６０と配線パターン１４とを電気的に接続する。バンプ６２は配線パターン１４に直接接続した状態になっている。
【００２１】
次に、図５（ａ）に示すように、配線パターン１４とアンダーフィル樹脂５０と半導体素子６０とを（半導体素子６０が搭載されている側の面を）封止樹脂７２により樹脂成形し、封止樹脂部７０を形成する。封止樹脂部７０を形成する際は、トランスファーモールド装置を用いればよい。
次に、図５（ｂ）に示すように、樹脂封止された積層体９０からキャリアテープ２２を除去する。キャリアテープ２２は手作業等により簡単にピールして除去することができる。キャリアテープ２２の接着剤には先述のとおりアクリル系接着剤が用いられているから、接着面から容易に剥離することができるが、配線パターン１４との接着面にキャリアテープ２２の接着剤や加熱により変質した接着剤成分が残留することがある。したがって図５（ｃ）に示すように、キャリアテープ２２を除去することで露出した配線パターン１４（接続パッド）の表面にプラズマ処理を施すことにより、配線パターン１４の表面（接続パッドの表面となる部位を当然に含む）を洗浄することができる。プラズマ処理には、アルゴンプラズマエッチングや酸素プラズマエッチングを用いることができる。
【００２２】
配線パターン１４のプラズマ処理（洗浄処理）が完了した後、絶縁層としてソルダーレジスト３０を配線パターン１４の下面に積層する。このとき、外部接続端子８０を取り付ける部位には開口部３２が形成される。
本実施形態においても絶縁層にフィルム状に形成されたソルダーレジスト３０を用いている。また、開口部３２は、ソルダーレジスト３０の所定部位にレーザ光を照射することにより形成している。
図５（ｄ）に示すように、ソルダーレジスト３０に開口部３２を形成した後、開口部３２から露出した配線パターン１４にはんだバンプ等の外部接続端子８０を取り付ける。必要に応じてダイサー等により個片化することにより、図３（ｃ）に示した半導体装置１００と同じ構成を有した半導体装置１００を得ることができる。
【００２３】
本実施形態による半導体装置１００の製造方法によれば、製造工程中に使用するキャリアテープ２２を１枚にすることができるので、製造工程の短縮や、省資源化が可能になり、低コストで半導体装置１００を製造することができる。
【００２４】
（第３実施形態）
第１実施形態および第２実施形態においては、銅箔１０をパターニングする際にサブトラクティブ法を用いた形態について説明しているが、使用する銅箔１０によっては、セミアディティブ法により配線パターン１４を形成することができる。本実施形態においては、第１実施形態の配線パターン形成工程において、サブトラクティブ法に代えてセミアディティブ法を適用した場合の実施形態を説明する。図６〜図８は第３実施形態にかかる半導体装置の製造方法における各工程での状態を示す断面図である。
【００２５】
本実施形態においては厚さ寸法が２〜３μｍに形成された銅箔１０が用いられている。まず、図６（ａ）に示すように、銅箔１０のシャイニー面１２側に第１のキャリアテープ２０を積層する。続いて、絶縁層としてフィルムタイプのソルダーレジスト３０を銅箔１０側にラミネートし、外部接続端子形成位置にレーザ光を照射してソルダーレジスト３０に開口部３２を形成する（図６（ｂ））。図６（ｃ）に示すように、ソルダーレジスト３０の表面に第２のキャリアテープ４０を積層する。続いて第１のキャリアテープ２０をピールして除去する（図６（ｄ））。
【００２６】
第１のキャリアテープ２０を除去した後、図６（ｅ）に示すように銅箔１０とソルダーレジスト３０と第２のキャリアテープ４０とからなる積層体の上下面を入れ替えて銅箔１０を上側面にした後、図７（ａ）に示すようにめっきレジスト２５を銅箔１０の表面にラミネートする。本実施形態におけるめっきレジスト２５にはフィルム状に形成された感光性樹脂を用いた。銅箔１０の表面に積層しためっきレジスト２５をフォトリソグラフィー法により露光および現像し、図７（ｂ）に示すようにめっきマスク２７を形成する。めっきマスク２７を形成した後、銅箔１０をシードメタルとして電解銅めっきを施し、図７（ｃ）に示すようにめっきマスク２７の開口部に銅めっき層１６を形成する。銅めっき層１６を形成した後、図７（ｄ）に示すようにめっきマスク２７をウェットエッチング等により除去する。
【００２７】
次に、めっきマスク２７により覆われていた部位の銅箔１０（めっきマスク２７を除去したことにより露出した銅箔１０の部分）をエッチングすることで、銅めっき層１６を独立させて図８（ａ）に示すような配線パターン１４を形成する。配線パターン１４を形成した後は、図８（ｂ）に示すように、配線パターン１４の所要の部位（半導体素子６０を搭載する部位）にノンコンダクティブフィルム等のアンダーフィル樹脂５０を形成し、バンプ６２が形成された半導体素子６０をアンダーフィル樹脂５０に押圧し、バンプ６２をアンダーフィル樹脂５０に貫通させて配線パターン１４に電気的に接続するように搭載し、半導体素子６０と配線パターン１４を封止樹脂７２により樹脂成形し封止樹脂部７０を形成する。これらの一連の工程は先の実施形態と同様にして行うことができる。図８（ｂ）は樹脂封止された積層体９０を示す。
【００２８】
続いて、図８（ｃ）に示すように、樹脂封止された積層体９０から第２のキャリアテープ４０をピールすることにより除去する。第２のキャリアテープ４０を除去しても硬化した封止樹脂部７０（封止樹脂７２）による剛性があるから以降の製造工程におけるハンドリングについては何ら問題ない。第２のキャリアテープ４０を除去することにより、ソルダーレジスト３０の開口部３２から配線パターン１４が露出するので、露出した配線パターン１４（接続パッドとなる部分）にプラズマ処理（プラズマエッチング）を行い、配線パターン１４の露出面を洗浄する。プラズマ処理は先の実施形態で説明した方法を適用することができる。プラズマ処理により洗浄された開口部３２から露出した配線パターン１４の部位（接続パッド）にはんだバンプ等からなる外部接続端子８０を取り付ける。必要に応じてダイサー等により個片化することにより図８（ｄ）に示すような半導体装置１００を得ることができる。
【００２９】
本実施形態における半導体装置１００の基本構成は、先に説明した実施形態における半導体装置１００と同様であるが、配線パターン１４がセミアディティブ法により形成されているので、配線パターン１４が銅箔１０および銅めっき層１６の二層構造である点で相違する。また、先に説明した実施形態に比べて微細な配線パターン１４を形成することができる点で有利である。
【００３０】
以上に本願発明にかかる半導体装置１００および半導体装置１００の製造方法について実施形態に基づいて詳細に説明したが、本願発明は以上に示した実施形態に限定されるものではないのはもちろんである。例えば、第３実施形態においては、第１実施形態における配線パターン１４の形成方法をサブトラクティブ法に代えてセミアディティブ法により形成した実施形態について説明しているが、第２実施形態における配線パターン１４の形成方法についても、サブトラクティブ法に代えてセミアディティブ法により形成しても良いのはもちろんである。
【００３１】
また、以上の実施形態においては、金属箔として銅箔１０を用いているが、他の金属箔を用いても良いのはもちろんである。そして、配線パターン１４の形成方法に応じて銅箔１０の厚さ寸法を１２〜１５μｍ（サブトラクティブ法の場合）や２〜３μｍ（セミアディティブ法の場合）を採用しているが、金属箔の厚さ寸法は適宜調整することができるのはもちろんである。
【００３２】
また上記第１実施形態ないし第３実施形態においては、アンダーフィル樹脂５０にノンコンダクティブフィルムを用いた形態における配線パターン１４とバンプ６２との電気的接続方法について説明しているが、アンダーフィル樹脂５０にダイアタッチフィルムを用いた場合もノンコンダクティブフィルムと同様の接続方法が適用できる。これらに対して、アンダーフィル樹脂５０として異方性導電フィルムを採用した場合には、配線パターン１４とバンプ６２とは、異方性導電性フィルム内の導電フィラーを中継して導通をとることができるため、配線パターン１４とバンプ６２とを直接接続しなくても良いのはもちろんである。
【図面の簡単な説明】
【００３３】
【図１】第１実施形態における半導体装置の製造方法における各段階の状態を示す断面図である。
【図２】第１実施形態における半導体装置の製造方法における各段階の状態を示す断面図である。
【図３】第１実施形態における半導体装置の製造方法における各段階の状態を示す断面図である。
【図４】第２実施形態にかかる半導体装置の製造方法における各工程での状態を示す断面図である。
【図５】第２実施形態にかかる半導体装置の製造方法における各工程での状態を示す断面図である。
【図６】第３実施形態にかかる半導体装置の製造方法における各工程での状態を示す断面図である。
【図７】第３実施形態にかかる半導体装置の製造方法における各工程での状態を示す断面図である。
【図８】第３実施形態にかかる半導体装置の製造方法における各工程での状態を示す断面図である。
【図９】従来技術における半導体基板の製造方法での各工程における状態を示す断面図である。
【図１０】従来技術における半導体基板の製造方法での各工程における状態を示す断面図である。
【符号の説明】
【００３４】
１０  銅箔
１２  シャイニー面
１４  配線パターン
１６  銅めっき層
２０  第１のキャリアテープ
２２  キャリアテープ
２５  めっきレジスト
２７  めっきマスク
３０  ソルダーレジスト
３２  開口部
４０  第２のキャリアテープ
５０  アンダーフィル樹脂
６０  半導体素子
６２  バンプ
７０  封止樹脂部
７２  封止樹脂
８０  外部接続端子
９０  樹脂封止された積層体
１００  半導体装置
１１０  スルーホール
１１２  接続パッド
１１４  外部接続端子
１１６  配線パターン
１２０  半導体素子
１２２  電極パッド
１２４  バンプ
１２６  電極
１３０  ボンディングワイヤ
１４０  封止樹脂
１５０  アンダーフィル樹脂
２００  半導体装置
Ｋ  基板
【図１】
2009302427.tif 000003
【図２】
2009302427.tif 000004
【図３】
2009302427.tif 000005
【図４】
2009302427.tif 000006
【図５】
2009302427.tif 000007
【図６】
2009302427.tif 000008
【図７】
2009302427.tif 000009
【図８】
2009302427.tif 000010
【図９】
2009302427.tif 000011
【図１０】
2009302427.tif 000012